(57)【要約】      （修正有）【課題】目的の深度に到達するまでは釣り針を隠した状態にしておき、目的の深度に達したならば釣り人の意図に基づいて隠しておいた釣り針を海中に放出する外道除け釣具の提供。【解決手段】こませ篭または錘に取り付けられて支点を中心に回転する第一の腕と第一の腕の端に設けられた支点を中心として回転し釣り針を格納する空間を設けた第二の腕で構成され、こませ篭または錘が海中を落下している時には下から受ける水圧で第一の腕を閉じるとともに第二の腕はその中に格納された釣り針を海中に出さない様に保持し、こませ篭が上に引き上げられる時には上からの水圧で第一の腕と第二の腕をおのおのの支点を中心に回転して開いて第二の腕に格納された釣り針を海中に開放することを特徴とする外道除け釣具の提供。【選択図】図３
0003112294.tif 000002
【実用新案登録請求の範囲】
【請求項１】
こませ篭または錘に取り付けられて支点を中心に回転する第一の腕と第一の腕の端に設けられた支点を中心として回転し釣り針を格納する空間を設けた第二の腕で構成され、こませ篭または錘が海中を落下している時には下から受ける水圧で第一の腕を閉じるとともに第二の腕はその中に格納された釣り針を海中に出さない様に保持し、こませ篭が上に引き上げられる時には上からの水圧で第一の腕と第二の腕をおのおのの支点を中心に回転して開いて第二の腕に格納された釣り針を海中に開放することを特徴とする外道魚除け釣具。
【考案の詳細な説明】
【技術分野】
【０００１】本考案は、海釣り用に使用される錘やこませ篭に付加して、仕掛けが目的とした深度に到達する前に中層を回遊する外道魚が掛らないようにする釣具に関するものである。
【背景技術】
【０００２】従来深い場所の対象魚を釣るための釣具として、道糸の先に天秤と錘と釣り針を付けたハリスとで構成される仕掛けや、これにこませ篭を付けて撒き餌をして集魚効果をねらった物などが広く普及している。  この仕掛けを目的とする対象魚のいる深さまで落下させ、魚が掛るのを待つといった動作を繰り返して、対象魚の獲得を図る。
ここで、季節によっては鯖等の対象外の魚いわゆる外道魚が中層で群れをなして回遊し落下途中の仕掛けに掛ることがよくある。  その結果として仕掛けが対象魚のいる深さまで到達しないため、対象魚の獲得いわゆる釣果が上がらない事態が発生した。
そしてこれまでこの様な問題の解決に効果的な釣具が実在していなかった。
【考案の開示】
【考案が解決しようとする課題】
【０００３】  本考案は、仕掛けが目的とする深度に到達するまでは釣り針を魚が掛からないように外道魚から隠した状態で落下させ、目的とする深度に到達した時に仕掛け全体を少し引き上げるだけで隠しておいた釣り針を海中に放出させるものである。
【課題を解決する手段】
【０００４】  こませ篭または錘に取り付けられて支点を中心に回転する第一の腕と第一の腕の端に設けられた支点を中心として回転し釣り針を格納する空間を設けた第二の腕とで構成され、こませ篭または錘が海中を落下している時には下から受ける水圧で第一の腕を閉じるとともに第二の腕はその中に格納された釣り針を海中に出さない様に保持し、こませ篭が上に引き上げられる時には上からの水圧で第一の腕と第二の腕をおのおのの支点を中心に回転して開いて第二の腕に格納された釣り針を海中に開放することを特徴とする外道魚除け釣具。
【考案の効果】
【０００５】本考案によれば、魚が掛る釣り針が目的とする深さに達するまで隠れた状態にあり、中層を回遊する外道魚がどれだけたくさんいても針掛りすることは無い。そして目的とする深度に達したならば、釣り人が仕掛けを道糸を介して引き上げて、隠していた釣り針を海中に放出する。
【考案を実施するための最良の形態】
【０００６】  こませ篭または錘に取り付けられて支点を中心に回転する第一の腕と第一の腕の端に設けられた支点を中心として回転し釣り針を格納する空間を設けた第二の腕とで構成され、こませ篭または錘が海中を落下している時には下から受ける水圧で第一の腕を閉じるとともに第二の腕はその中に格納された釣り針を海中に出さない様に保持し、こませ篭が上に引き上げられる時には上からの水圧で第一の腕と第二の腕をおのおのの支点を中心に回転して開いて第二の腕に格納された釣り針を海中に開放することを特徴とする外道魚除け釣具。
【実施例】
【０００７】  図１は従来からある船釣り用の仕掛けを示したもので、錘がついたこませ篭１と天秤２とハリスに接続された釣針３で構成される。ここで釣り針は一般的に広く使用されている２個付いた例を示した。
なお、天秤２には道糸が接続され釣り竿とリールに接続されていて、釣り人の意図に基づいて仕掛けを落下させたり引き上げ足り出来ることは言うまでもない。【０００８】図２は従来からの仕掛けを海中に落下させた時の様子を図示したものである。
中層には釣り目的としない魚いわゆる外道魚が回遊し、目的とする釣り対照の魚は海底付近で回遊している。一般的に中層を回遊する外道魚としては鯖とか宗田鰹が良く知られており、これらは群れを成していて非常に強い遊泳力を持っていることに加え落下してゆく釣針に貪欲に食いつくこと等も良く知られている。
図２ではこませ篭１とそれを含む仕掛けは海底に向かい落下途中にあるが、１つの釣り針には外道魚が掛ってしまい他の一つも外道魚が掛る寸前である。
この結果として仕掛けが掛った外道魚に引き回されて目的とする深度に到達することはほとんど無く、目的とする魚を釣り上げるには運良く底まで外道魚に邪魔されないという極めて頼りない運に頼るしか無いのは明らかである。【０００９】図３は本考案実施例の外観図である。
本実施例では２組の仕組みを持ち２個釣針を格納および放出できる様にしている。
こませ篭本体１０と錘１１と錘１１に支点１４で回転する様に取り付けられた第一の腕１２と腕１２に設けられた支点１５を中心に回転する第二の腕１３とを一組とし、錘１１に支点１８で回転する様に取り付けられた腕１６と腕１６に設けられた支点１９を中心に回転する腕１７とを他の一組としている。【００１０】図４は本考案装置の断面図で、こませ篭本体１０と錘１１と錘１１に支点１４で回転する様に取り付けられた第一の腕１２と腕１２に設けられた支点１５を中心に回転する第二の腕１３とを一組とし、錘１１に支点１８で回転する様に取り付けられた第一の腕１６と腕１６に設けられた支点１９を中心に回転する第二の腕１７とを他の一組としている。
ここで腕１３に設けられた釣り針格納用の空間１６と腕１８に設けられた釣り針格納用空間２１は本考案釣具が海中を落下中に釣り針を外道魚から隠すためのものである。【００１１】図５は本実施例の断面図で第一の腕と第二の腕が開いた状態を示している。
腕１２は支点１４を中心に左方向に開き、腕１３は支点１５を中心に左方向に開き針格納空間１６を外に向けている。なお、腕１２や腕１３や腕１７や腕１８はそれぞれの支点を中心に自由に回転して開いたり閉じたりする。【００１２】図６は本実施例の動作原理図で海中を落下する様子を示している。
あらかじめ釣り針を腕１３と腕１８の釣り針格納空間１６や２１に入れておき海中に仕掛けを入れると仕掛けは海中を落下し、その時に下から受ける水圧で腕１２と腕１３および腕１７と腕１８は図６に示した様に閉じた状態となる。  この結果、本釣具は釣り針を腕１３や腕１８に格納した状態を維持するとともに水中での抵抗を小さくして落下する。【００１３】図７は実施例の動作原理図で目的とする深度に達した時を示している。
仕掛けが予定深度に達すると釣り人は仕掛けの落下を止めると同時に仕掛けを少し引き上げ、その結果として腕１２と腕１７がそれぞれの支点を中心に回転し図７に示した様に開いた状態となる。【００１４】図８は実施例の動作原理図で釣り針を海中に放出する状態を示している。
図７の状態より更に仕掛けを引き上げると、図８に示した様に腕１３と腕１８が上からの水圧を受けてそれぞれの支点を中心に回転し、釣り針を格納している空間を上方に向けて釣り針を海中に放出する。
この様にして釣り人は目的の深度に達したならば、仕掛けを引き上げるだけで容易に釣り針を海中に放出することが出来る。【００１５】以上の様に本考案によれば、目的の深度に到達するまでは釣り針を隠した状態にしておき、目的の深度に達したならば釣り人の意図に基づいて隠しておいた釣り針を海中に放出する。この結果として中層で回遊している外道魚からの邪魔を効果的に排除できることとなる。【００１６】また本実施例では２個の釣り針を格納する構造としているが、第一および第二の腕で構成される仕組みの数を適当に設定することで使用する釣り針の数が任意に設定できることは明らかである。
【産業上の利用可能性】
【００１７】本考案は海釣りに使用する釣具に関する。
【図面の簡単な説明】
【００１８】
【図１】従来からある仕掛けの外観図
【図２】従来からある仕掛けの問題点
【図３】本考案の実施例の外観図
【図４】実施例の断面図
【図５】実施例の断面図
【図６】本考案の動作原理図
【図７】本考案の動作原理図
【図８】本考案の動作原理図
【符号の説明】
【００１９】１  従来のこませ篭
２  天秤
３  釣り針
１０  こませ篭
１１  錘
１２  第一の腕
１３  第二に腕
１４  第一の腕の支点
１５  第二の腕の支点
１６  他の第一の腕
１７  他の第二の腕
１８  他の第一の腕の支点
１９  他の第二の腕の支点
【図１】
0003112294.tif 000003
【図２】
0003112294.tif 000004
【図３】
0003112294.tif 000005
【図４】
0003112294.tif 000006
【図５】
0003112294.tif 000007
【図６】
0003112294.tif 000008
【図７】
0003112294.tif 000009
【図８】
0003112294.tif 000010